(57)【特許請求の範囲】
【請求項１】
旅客または旅行代理店側の端末装置と、入国審査を行う審査官側の端末装置とに接続された旅客の入国審査を事前に行う入国事前審査支援装置であって、
旅券番号を含む渡航に伴う旅客の旅客情報を、旅客または旅行代理店側の端末装置から通信網を介して受信する受信手段と、
前記旅客情報を記憶する旅客情報データベースと、
ブラックリスト人物の旅券番号を含む個人情報を記憶したブラックリスト情報データベースと、
前記受信手段により受信した旅客情報を前記旅客情報データベースに登録する登録手段と、
前記登録手段によって前記旅客情報データベースに新規に登録された旅客情報の旅券番号と前記ブラックリスト情報データベースに記憶された各ブラックリスト人物の個人情報に含まれる旅券番号を照合する照合手段と、
前記照合手段により一致した旅券番号を通信網を介して入国審査を行う審査官側の端末装置に送信する送信手段と
を有することを特徴とする入国事前審査支援装置。
【請求項２】
旅客の入国にあたり、その入国審査を事前に行う入国事前審査支援方法であって、
サーバが、旅客の旅券番号を含む渡航に伴う旅客情報を、旅客または旅行代理店側の端末装置から通信網を介して受信手段により受信し、
前記受信手段により受信した旅客情報を、登録手段により旅客情報データベースに登録し、
前記登録手段によって前記旅客情報データベースに新規に登録された旅客情報の旅券番号とブラックリスト情報データベースに記憶されている各ブラックリスト人物の個人情報に含まれた旅券番号を照合手段により照合し、
前記照合手段により一致した旅券番号を通信網を介して入国審査を行う審査官側の端末装置に送信することを特徴とする入国事前審査支援方法。
【請求項３】
請求項２に記載の入国事前審査支援方法における各処理を、コンピュータに実行させるための入国事前審査支援プログラム。
【発明の詳細な説明】
【０００１】
【発明の属する技術分野】
本発明は、入国の際の審査を支援する技術に関し、特に、入国に先立ち、事前に旅客の審査を行い入国審査業務を円滑に行うための入国事前審査支援の情報処理装置、入国事前審査支援方法およびその処理プログラムに関する。
【０００２】
【従来の技術】
渡航に伴う出国の際の事前審査に関しては、当事者である旅客またはその代理業者が、事前審査の窓口である法務省に申請をすることで手続が行われる。そして、出国日当日は、事前審査用ブースにて旅券の出国認証の確認を行うのみで、通常ブース場での出国審査は省略することができる。
【０００３】
【発明が解決しようとする課題】
しかしながら、入国（帰国を含む）の際の事前審査に関しては、その窓口は存在せず、事前審査は行われていなかった。入国審査時において、審査官は、審査ブースで審査用端末を用いて、旅客全てに対して一人づつブラックリストとの照合チェックを行う必要があった。そのため、審査時間の増大を招き、入国審査業務の処理遅延を引き起こす要因ともなっていた。
【０００４】
本発明は上述のような課題に鑑みてなされ、その目的は、入国に先立ち、事前に旅客の審査を行い入国審査業務を円滑に行うための入国事前審査支援の情報処理装置、入国事前審査支援方法およびその処理プログラムを提供することにある。
【０００５】
【課題を解決するための手段】
上記目的を達成するために、本発明に係る入国事前審査支援装置は、旅客または旅行代理店側の端末装置と、入国審査を行う審査官側の端末装置とに接続された旅客の入国審査を事前に行う入国事前審査支援装置であって、旅券番号を含む渡航に伴う旅客の旅客情報を、旅客または旅行代理店側の端末装置から通信網を介して受信する受信手段と、前記旅客情報を記憶する旅客情報データベースと、ブラックリスト人物の旅券番号を含む個人情報を記憶したブラックリスト情報データベースと、前記受信手段により受信した旅客情報を前記旅客情報データベースに登録する登録手段と、前記登録手段によって前記旅客情報データベースに新規に登録された旅客情報の旅券番号と前記ブラックリスト情報データベースに記憶された各ブラックリスト人物の個人情報に含まれる旅券番号を照合する照合手段と、前記照合手段により一致した旅券番号を通信網を介して入国審査を行う審査官側の端末装置に送信する送信手段とを有することを特徴とする。
また、本発明に係る入国事前審査支援方法は、旅客の入国にあたり、その入国審査を事前に行う入国事前審査支援方法であって、サーバが、旅客の旅券番号を含む渡航に伴う旅客情報を、旅客または旅行代理店側の端末装置から通信網を介して受信手段により受信し、前記受信手段により受信した旅客情報を、登録手段により旅客情報データベースに登録し、前記登録手段によって前記旅客情報データベースに新規に登録された旅客情報の旅券番号とブラックリスト情報データベースに記憶されている各ブラックリスト人物の個人情報に含まれた旅券番号を照合手段により照合し、前記照合手段により一致した旅券番号を通信網を介して入国審査を行う審査官側の端末装置に送信することを特徴とする。
【０００６】
【発明の実施の形態】
以下に本発明の実施の形態を、図１〜図４を用いて詳細に説明する。
図１は、本発明に係る入国事前審査支援を行う情報処理装置とそれを含んで構築されたネットワークシステムを説明するためのブロック図である。図２は、旅客情報データベースを説明するための図である。図３は、ブラックリスト情報データベースを説明するための図である。図４は、図１の入国事前審査支援を行う情報処理装置の動作を説明するためのシーケンス図である。
【０００７】
図１を用いて、本発明に係る入国事前審査支援の情報処理装置とそれを含んで構成されているネットワークシステムを説明する。
【０００８】
このネットワークシステム１は、インターネット網１０を介して、入国事前審査支援を行う情報処理装置であるサーバ１００と、旅客または旅行代理店側の有するパーソナルコンピュータ（以下、ＰＣ）群２０と、入出国審査を行う審査官が用いる審査官側のＰＣ群３０とが各々接続されて構成されている。
【０００９】
ＰＣ群２０の各々は、後述する旅客情報データベース１２０に登録すべき各旅客情報を、インターネット網１０を介して、サーバ１００に送信する。
ＰＣ群３０の各々は、サーバ１００での事前審査情報を、インターネット網１０を介して、従来における旅客の本審査に先立って受信し、これを閲覧することができる。
【００１０】
サーバ１００では、データを転送する内部バス１０２を介して、演算・制御を行うＣＰＵ（Central Processing Unit）１１０、通信を可能とする通信インターフェイス１１２、入出力制御部（図示せず）、旅客情報データベース１２０、ブラックリスト情報データベース１３０、および入国審査処理部１４０が各々接続されて構成されている。
【００１１】
旅客情報データベース１２０には、図２に示すように、渡航を申請した旅客を判別できるユニークな情報としての旅券番号と共に、入国日、利用航空機、座席、および到着予定時間が登録される。この旅客情報は、自国と他国とを往復する際の帰国時の入国情報、あるいは、他国から自国への入国に際しての入国情報を表すものである。また、この旅客情報は、従来の入国本審査に先だって行われる本発明における事前審査に用いられる必要があるため、サーバ１００による事前審査処理と、データの送受信と、旅客の入国段階との時間を考慮した時点までに登録されることを要する。
【００１２】
ブラックリスト情報データベース１３０には、図３に示すように、ブラックリスト情報として、ユニークな旅券番号と、その氏名、性別、生年月日、リスト掲載理由などの個人情報とが登録されている。
【００１３】
入国審査処理部１４０は、照合部１４２、照合結果送信部１４４および登録部１４６を有している。
【００１４】
登録部１４６は、ＰＣ群２０から送信された旅客情報を、旅客情報データベース１２０に記録する。
照合部１４２は、旅客情報データベース１２０と、ブラックリスト情報データベース１３０とを参照し、同一の旅券番号を有する人物が存在するのか否かを照合する。
【００１５】
照合結果送信部１４４は、照合部１４２による照合結果を、インターネット網１０を介して、審査官側ＰＣ群３０に送信する。
【００１６】
次に、図４のシーケンス図を用いて、サーバ１００を用いた入国事前審査支援動作を説明する。なお、ここでは、法務省側に設置されたサーバ１００と、旅客または旅行代理店側のＰＣ群２０と、審査官側のＰＣ群３０との三者間のデータの送受信について示している。
【００１７】
ＰＣ群２０では、渡航に伴う旅客情報（図２参照）を、ＨＴＴＰ（Hypertext Transfer Protocol）で記載されたＷｅｂページの所定の欄に入力し（ステップＳ４０１）、これをサーバ１００に送信する（ステップＳ４０２）。
【００１８】
サーバ１００では、この受信した旅客情報を、登録部１４６により、旅客情報データベース１２０に記録する（ステップＳ４０３）。こうして、個々の旅客情報が随時、登録されていく。
照合部１４２は、旅客情報データベース１２０（図２参照）と、ブラックリスト情報データベース１３０（図３参照）とを、旅券番号を基に照合する（ステップＳ４０４）。この照合処理は、所定時間毎に一括して、あるいは、旅券番号を受信する毎に実行される。この照合処理で、例えば、旅券番号「１２３４５６」の人物「ＡＡＡ」が一致することから、これが照合結果として検出されることになる。この照合結果は、随時、審査官側のＰＣ群３０に送信される（ステップＳ４０５）。
【００１９】
審査官側のＰＣ群３０では、この照合結果が閲覧可能となり（ステップＳ４０６）、事前に入国審査の判断を得ることができるようになる。審査官側では、航空機毎に旅客（搭乗者）を把握しているため、その航空機の到着に合わせて、旅券番号「１２３４５６」の人物「ＡＡＡ」の身柄確保を重点的に行えばよく、従来と比べ、入国審査業務の時間を短縮することができる。
【００２０】
以上、本発明に係る入国事前審査支援を行うサーバにより、入国（帰国を含む）に先立ち、事前に旅客の審査を行い、入国審査業務を円滑に行うための入国事前審査支援を提供できる。
【００２１】
なお、本発明は、図１〜図４を用いて説明した上述の実施形態の例に限定されるものではなく、その要旨を逸脱しない範囲において種々の変更が可能である。例えば、上述の実施形態では、旅客情報データベース１２０およびブラックリスト情報データベース１３０は、共にサーバ１００内に搭載されているとして説明したが、これらはいずれも、サーバ１００の装置外にあってもよい。つまり、この旅客情報データベース１２０およびブラックリスト情報データベース１３０にアクセスできるシステム環境がサーバ１００に備わってさえいれば、本発明の入国事前審査支援処理で目指すのと同様の目的を達することが可能である。
【００２２】
また、上述の実施形態では、通信網として、ＴＣＰ／ＩＰ（Transmission Control Protocol／Internet Protocol）ベースのインターネット網を介した、ネットワークシステムにおける入国事前審査支援を行う情報処理装置を想定して説明したが、このインターネット網に限って用いられるものではなく、例えば、ＵＤＰ（User Datagram Protocol）ベースやＷＡＮ（Wide Area Network）や無線網等を介したネットワークでシステムを構築してもよい。
【００２３】
また、上述の実施形態では、航空機による渡航を想定して説明したが、この他、船舶による入国審査にも適用可能である。
【００２４】
上述の実施形態において、その入国事前審査支援を行う各ステップＳ４０１〜Ｓ４０６、および種々の変更例における処理プログラムを、アプリケーションソフトとして、ハードディスク等の記録媒体に格納し、その記録媒体を任意のコンピュータに装着してプログラムをインストールするか、ネットワークを介して他のコンピュータからダウンロードすることによりインストールして用いても良い。また、このように記録媒体に格納することで、ＣＤ−ＲＯＭ等の可搬型記録媒体にプログラム等を格納して売買したり、携帯することができるようにもなる。
【００２５】
【発明の効果】
本発明に係る入国事前審査支援を行う情報処理装置を用いて、入国に先立ち事前に旅客の審査を行うことで、入国審査業務を円滑にすることができるようになる。
【図面の簡単な説明】
【図１】本発明に係る入国事前審査支援を行う情報処理装置とそれを含んで構築されたネットワークシステムを説明するためのブロック図である。
【図２】旅客情報データベースを説明するための図である。
【図３】ブラックリスト情報データベースを説明するための図である。
【図４】図１の入国事前審査支援を行う情報処理装置の動作を説明するためのシーケンス図である。
【符号の説明】
１：ネットワークシステム
１０：インターネット網
２０：旅客または旅行代理店側のＰＣ群２０
３０：審査官側のＰＣ群３０
１００：入国事前審査支援を行うサーバ
１２０：旅客情報データベース
１３０：ブラックリスト情報データベース
１４０：入国審査処理部
１４２：照合部
１４４：照合結果送信部
１４６：登録部
【図１】
0003922053.tif 000002
【図２】
0003922053.tif 000003
【図３】
0003922053.tif 000004
【図４】
0003922053.tif 000005